(57)【要約】【課題】外観性と製造コストとを両立させることが可能な装飾部材及び映像表示装置を提供する。【解決手段】装飾部材が、第１、第２の領域を有する第１の面と、この第１の面に対向し、かつ前記第１の領域に対応する平面部と、前記第２の領域に対応する曲面部とを有する第２の面とを備える透明部材と、前記第１、第２の領域に配置され、かつ互いに異なる色を有する第１、第２の有色部材とを具備する。【選択図】図１
2010147760.tif 000002
【特許請求の範囲】
【請求項１】
第１、第２の領域を有する第１の面と、
この第１の面に対向し、かつ前記第１の領域に対応する平面部と、前記第２の領域に対応する曲面部とを有する第２の面とを備える透明部材と、
前記第１、第２の領域に配置され、かつ互いに異なる色を有する第１、第２の有色部材
と
を具備することを特徴とする装飾部材。
【請求項２】
前記平面部が略長方形状を有し、
前記曲面部が、前記平面部と１辺を共有することを特徴とする請求項１記載の装飾部材。
【請求項３】
前記平面部と前記曲面部との境界部に設けられる溝部をさらに備えることを特徴とする請求項１または２に記載の装飾部材。
【請求項４】
前記第１、第２の領域との境界部に設けられる第２の溝部をさらに備えることを特徴とする請求項１ないし３のいずれか１項に記載の装飾部材。
【請求項５】
前記第１の有色部材と前記第２の有色部材との境界部は、前記平面部と前記局面部との境界部の位置に対応することを特徴とする請求項３に記載の装飾部材。
【請求項６】
映像表示部と、
前記映像表示部の周囲に配置される装飾部材とを備え、
前記装飾部材は、
第１、第２の領域を有する第１の面と、
この第１の面に対向し、かつ前記第１の領域に対応する平面部と、前記第２の領域に対応する曲面部とを有する第２の面とを備える透明部材と、
前記第１、第２の領域に配置され、かつ互いに異なる色を有する第１、第２の有色部材
と
を具備することを特徴とする映像表示装置。
【発明の詳細な説明】
【技術分野】
【０００１】
本発明は、装飾部材及び映像表示装置に関する。
【０００２】
従来、外観性を向上させるために、板状の装飾部材を備えるＴＶ（television）などの表示装置が知られている（例えば、特許文献１参照）。
【特許文献１】特開２００７−２５００４号公報
【発明の開示】
【発明が解決しようとする課題】
【０００３】
ＴＶなどの表示装置の外観は、設置される部屋の雰囲気に寄与する。従来の技術では、装飾部材は、単一色である場合が多く、更なる外観性の向上が望まれている。また、装飾部材は、複数の部品から構成される場合がある。装飾部材が複数の部品から構成された場合、製造コストが増大する恐れがある。
上記に鑑み、本発明は、外観性と製造コストとを両立させることが可能な装飾部材及び映像表示装置を提供することを目的とする。
【課題を解決するための手段】
【０００４】
本発明の一態様に係る装飾部材は、第１、第２の領域を有する第１の面と、この第１の面に対向し、かつ前記第１の領域に対応する平面部と、前記第２の領域に対応する曲面部とを有する第２の面とを備える透明部材と、前記第１、第２の領域に配置され、かつ互いに異なる色を有する第１、第２の有色部材とを具備する。
【０００５】
本発明の一態様に係る映像表示装置は、映像表示部と、前記映像表示部の周囲に配置される装飾部材とを備え、前記装飾部材は、第１、第２の領域を有する第１の面と、この第１の面に対向し、かつ前記第１の領域に対応する平面部と、前記第２の領域に対応する曲面部とを有する第２の面とを備える透明部材と、前記第１、第２の領域に配置され、かつ互いに異なる色を有する第１、第２の有色部材とを具備する。
【発明の効果】
【０００６】
本発明によれば、外観性と製造コストとを両立させることが可能な装飾部材及び映像表示装置を提供することができる。
【発明を実施するための最良の形態】
【０００７】
（第１の実施の形態）
以下、図面を参照して本発明の第１の実施の形態について説明する。図１は、本発明の第１の実施の形態に係る装飾部材１０の斜視図である。図２は、この装飾部材１０の側面図である。
図１及び図２に示すように装飾部材１０は、本体１１、塗装層１２及び１３を備える。
本体１１は板状に形成される。本体１１は光を透過させる。本体１１は、透明プラスチック、例えば、アクリルなどを押出成形することにより成形される。本体１１の成形方法は特に限定されず、射出成形などにより成形してもよい。また、本体１１は、光を透過させる材料が外観性の観点から好ましく用いられ、例えば、ガラスなどを加工して成形してもよい。
本体１１は、第１の面である裏面１１１及び第２の面である表面１１２を備える。
【０００８】
裏面１１１は、塗装領域１１１a及び１１１bを有する。
塗装領域１１１a及び１１１bは、第１及び第２の領域である。塗装領域１１１a及び１１１bには、様々な手法を用いて色が付けられる。例えば、塗装、印刷、メッキ加工などの手法が用いられる。なお、塗装領域１１１a及び１１１bに付けられる色は特に限定されない。なお、ここでいう色には無色も含まれる。
塗装領域１１１aは、例えば黒で色付けされる。塗装領域１１１bは、例えば、シルバーで色付けされる。この色付けによって塗装領域１１１a及び１１１bにそれぞれ塗装層１２及び１３が形成される。塗装層１２及び１３は、第１及び第２の有色部材として機能する。
【０００９】
表面１１２は、平面部１１２a及び曲面部１１２bを備える。平面部１１２aは略長方形状の領域である。
曲面部１１２bは、半円柱状に形成される。曲面部１１２bは、例えば平面部１１２ａの面上から前方に丸みを帯びて突き出るように設けられる。曲面部１１２bは、例えば、表面１１２の両側面を接続するように設けられる。曲面部１１２bは、平面部１１２aの下部に配置され、平面部１１２aと共有する１辺である接続部１１２cを備える。
接続部１１２cは、塗装領域１１１a及び１１１bの境界部に対応する位置に配置される。したがって、接続部１１２cは、塗装層１２及び１３の境界部に対応する位置に配置される。
【００１０】
次に、図３及び図４を用いて装飾部材１０の使用例について説明する。図３は、ＴＶ９への装飾部材１０の取り付け例を示す概念図である。図４は、図３に示すＴＶ９の側面図である。
図３及び図４に示すように装飾部材１０は、映像表示装置であるＴＶ９に取り付けられる。装飾部材１０は、ＴＶ９が備える表示部９の周囲に配置することができる。ここでは、一例として、表示部９１と、スピーカー９２ａが取り付けられたスピーカー取り付け部９２との間に取り付けられている。装飾部材１０は、ＴＶ９の表面に埋め込むこともできる。装飾部材１０は表面１１２が視聴者側を向くように取り付けられる。このように取り付けられた装飾部材１０は、本体１１が光を透過させるため、視聴者には、本体１１越しに塗装層１２及び１３の色が見える。
このとき、曲面部１１２bは、レンズとして機能する。この結果、視聴者には、塗装層１３に付けられた色が塗装層１２に付けられた色より手前側または奥側に配置されているように感じられる。
したがって、視聴者には、装飾部材１０が塗装層１２に対応する部品と塗装層１３に対応する部品の複数の部品から構成されているように見える。
【００１１】
このように装飾部材１０は、裏面１１１にそれぞれ違う色の塗装を施すことによって複数の部品で構成されているように見える。したがって、装飾部材１０が取り付けられたＴＶ９の外観性が向上する。また、装飾部材１０は、複数の部品で構成された場合に比べて部品数が少なくてすむ。このためコストが安くすむという効果が得られる。
さらに、装飾部材１０は、複数の部品で構成された場合（例えば、接続部１１２ｃによって区分される本体１１の上側及び下側に対応する２つの部品で構成された場合）に比べて耐久性が向上する。すなわち、装飾部材１０を複数の部品から構成した場合、それぞれの部品の耐久性、伸縮性の違いによってそれぞれの部品同士の接合面に反りや剥離などが発生しやすくなる。反りや剥離は外観性の低下にもつながる。
装飾部材１０では、全体が１つの部品（すなわち、本体１１）で構成されているので反りや剥離を防止することができる。
【００１２】
（第２の実施の形態）
次に、図５を参照して第２の実施形態に係る装飾部材２０について説明する。図５は、本発明の第２の実施の形態に係る装飾部材２０の側面図である。なお、以下の説明では、第１の実施形態に係る装飾部材１０と重複する部分には同じ符号を付け、詳細な説明は省略する。
装飾部材２０は、第１の実施の形態の装飾部材１０が備える接続部１１２cに対応する個所に溝部２１を形成したものである。
すなわち、図５に示すように装飾部材２０は溝部２１を備える。この溝部２１によって、塗装層１２及び１３が別の部品として見えやすくなる。結果として装飾部材２０の外観性が向上する。また、溝部２１が目印となることによって塗装層１２及び１３の形成位置がわかりやすく、塗装層１２及び１３の形成精度が向上するため、装飾部材２０の生産性や歩留まりが向上する。
【００１３】
（第３の実施の形態）
次に、図６及び図７を参照して第３の実施形態に係る装飾部材３０及び４０について説明する。図６及び７は本発明の第３の実施の形態に係る装飾部材３０及び４０の側面図である。
なお、以下の説明では、第１または第２の実施形態に係る装飾部材１０または２０と重複する部分には同じ符号を付け、詳細な説明は省略する。
装飾部材３０及び４０は、第１または第２の実施の形態の装飾部材１０または２０が備える曲面部１１２bの形状を変形させた変形例である。
【００１４】
図６に示すように、装飾部材３０は曲面部３３を備える。曲面部３３は、第１または第２の実施の形態の装飾部材１０または２０が備える曲面部１１２bに対して曲率（Curvature）が大きくなるように形成されている。
この結果、曲面部３３によるレンズの効果が強くなる。すなわち、塗装層１２、１３が別の部品として見えやすくなる。
図７に示すように、装飾部材４０は、曲面部４３を備える。曲面部４３は、表面１１２から裏面１１１に向って凹むように設けられる。このように構成された曲面部４３では、曲面部１１２bまたは曲面部３３などと同様に塗装領域１１１aと塗装領域１１１bが別の部品として見えやすくなる。
【００１５】
（第４の実施の形態）
次に、図８〜図１０を参照して第４の実施形態に係る装飾部材５０について説明する。図８は、本発明の第４の実施の形態に係る装飾部材５０の側面図である。図９、図１０は塗装層１２及び１３の境界部の拡大図である。
なお、以下の説明では、第１の実施形態に係る装飾部材１０と重複する部分には同じ符号を付け、詳細な説明は省略する。
装飾部材５０は、第１の実施の形態の装飾部材１０が備える塗装層１２及び１３の境界部に第２の溝部である溝部５１を形成したものである。
すなわち、図８に示すように装飾部材５０は溝部５１を備える。溝部５１は、例えば、本体１１に、塗装層１２及び１３を形成した後に設けられる。また、溝部５１を先に形成し、その後、塗装層１２及び１３を形成することもできる。先に溝部５１を形成した場合、溝部５１によって、塗装層１２及び１３の形成位置がわかりやすくなり、生産性や歩留まりが向上する。溝部５１によって、塗装層１２及び１３の直進性が向上する。
以下、「直進性」について説明する。図９に示すように、溝部５１を形成しない場合（例えば、第１の実施の形態の装飾部材１０）の塗装層１２及び１３の境界部は、直線状にならないことがある。すなわち、直進性が低くなる。このとき、表面１１２から塗装層１２及び１３の境界部が見えた場合、ＴＶ９の外観性を損なう恐れがある。
図１０に示すように、溝部５１を形成した場合、塗装層１２及び１３の境界部は塗装が直線状になる。すなわち、直進性が向上する。このとき、塗装層１２及び１３の境界部が、表面１１２から見えた場合であってもＴＶ９の外観性を損なう恐れがない。
【００１６】
以上、本発明の第１〜第４の実施の形態に係る装飾部材１０〜５０について説明したが、本発明は以上の実施の形態にのみ限定されるものではなく、その要旨を逸脱しない範囲で変更または変形が可能である。
例えば、各実施形態の一部を組み合わせた装飾部材も権利範囲に含まれる。
また、例えば、第１の実施の形態では、曲面部１１２bを表面１１２の下部に配置したが、これに替えて曲面部１１２bを表面１１２の略中央部などに配置してもよい。また、表面１１２に複数の曲面部１１２bを配置してもよい。
【００１７】
さらに、各実施の形態では、塗装領域１１１a及び１１１bに塗装層１２及び１３を形成したが、塗装領域１１１aに塗装層１２を形成せず、塗装領域１１１bにのみ塗装層１３を形成するようにしてもよい。この場合、視聴者には、本体１１越しにＴＶ９の筺体の色と塗装層１３の色が見える。このように、塗装領域１１１a及び１１１bのいずれか一方にのみ塗装層を形成しても良いし、上記の実施の形態のような２つの塗装領域（１１１a、１１１ｂ）よりも更に多くの塗装領域を設けても良い。
【００１８】
さらに、塗装領域１１１a及びまたは１１１bには、塗装層１２及びまたは１３に替えてハーフミラーシートと呼ばれ、アルミニウムを蒸着したプラスチックフィルムを張り付けるようにしてもよい。
ハーフミラーシートを塗装領域１１１bに張り付けた場合、この塗装領域１１１bに対応するＴＶ９の所定の箇所に発光素子（例えばＬＥＤな）などを設けることによって、ＴＶ９のＯＮまたはＯＦＦの状態に対応して曲面部１１２b上に時間や、幾何学的な模様を表示させることができる。また、このとき、曲面部１１２bのレンズの効果を用いて時間などを拡大して表示させることもできる。この結果、ＴＶ９の外観性がさらに向上する。
【図面の簡単な説明】
【００１９】
【図１】本発明の第１の実施の形態に係る装飾部材１０の斜視図。
【図２】装飾部材１０の側面図。
【図３】ＴＶ９への装飾部材１０の取り付け例を示す概念図。
【図４】ＴＶ９の側面図。
【図５】本発明の第２の実施の形態に係る装飾部材２０の側面図。
【図６】本発明の第３の実施の形態に係る装飾部材３０の側面図。
【図７】本発明の第３の実施の形態に係る装飾部材４０の側面図。
【図８】本発明の第４の実施の形態に係る装飾部材５０の側面図。
【図９】塗装層１２及び１３の境界部の拡大図。
【図１０】塗装層１２及び１３の境界部の拡大図。
【符号の説明】
【００２０】
１０，２０，３０，４０，５０…装飾部材、１１…本体、１２，１３…塗装層、１１２b，３３,４３…曲面部、１１１…裏面、１１１a及び１１１b…塗装領域、１１２…表面、１１２a…平面部、１１２c…接続部、２１，５１…溝部、９１…表示部、９２…スピーカー取り付け部、９２ａ…スピーカー。
【図１】
2010147760.tif 000003
【図２】
2010147760.tif 000004
【図３】
2010147760.tif 000005
【図４】
2010147760.tif 000006
【図５】
2010147760.tif 000007
【図６】
2010147760.tif 000008
【図７】
2010147760.tif 000009
【図８】
2010147760.tif 000010
【図９】
2010147760.tif 000011
【図１０】
2010147760.tif 000012
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
第１、第２の領域を有する第１の面と、
この第１の面に対向し、かつ前記第１の領域に対応する平面部と、前記第２の領域に対応する曲面部とを有する第２の面とを備える透明部材と、
前記第１、第２の領域に配置され、かつ互いに異なる色を有する第１、第２の有色部材と
を具備することを特徴とする装飾部材。
【請求項２】
前記第１の有色部材と前記第２の有色部材との境界部は、前記平面部と前記局面部との境界部の位置に対応することを特徴とする請求項１に記載の装飾部材。
【請求項３】
前記平面部が略長方形状を有し、
前記曲面部が、前記平面部と１辺を共有することを特徴とする請求項１または２に記載の装飾部材。
【請求項４】
前記平面部と前記曲面部との境界部に設けられる溝部をさらに備えることを特徴とする請求項１ないし３のいずれか１項に記載の装飾部材。
【請求項５】
前記第１、第２の領域との境界部に設けられる第２の溝部をさらに備えることを特徴とする請求項１ないし４のいずれか１項に記載の装飾部材。
【請求項６】
映像表示部と、
前記映像表示部の周囲に配置される装飾部材とを備え、
前記装飾部材は、
第１、第２の領域を有する第１の面と、
この第１の面に対向し、かつ前記第１の領域に対応する平面部と、前記第２の領域に対応する曲面部とを有する第２の面とを備える透明部材と、
前記第１、第２の領域に配置され、かつ互いに異なる色を有する第１、第２の有色部材と、を具備し、
前記第１の有色部材と前記第２の有色部材との境界部は、前記平面部と前記局面部との境界部の位置に対応することを特徴とする映像表示装置。